(57)【要約】    【課題】親機や玄関子機のコネクタに対して接続機器の種類を限定することなく変更したり追加したりすることができるようにする。    【解決手段】モニタ付親機５０２Ａ、５０２Ｂはそれぞれ、音声信号をＡ／Ｄ、Ｄ／Ａ変換する音声信号処理回路２０５と、映像信号をＡ／Ｄ、Ｄ／Ａ変換する映像信号処理回路２０６と、デジタル信号化された音声信号、映像信号、呼出、通話を制御する制御信号を処理する通信制御回路２０７と、音声信号、映像信号、制御信号、宛先アドレス、送信元アドレスを含むフレームを形成するＬＡＮ  ＭＡＣ２０８と、伝送路を介してフレームの送受信に必要な符号に変換する物理層構築部２０９と、カメラ付玄関子機及びモニタ付親機間を伝送路で接続するためのＬＡＮ用コネクタ２１０とを備えている。カメラ付玄関子機も同様の構成とする。【選択図】図３
2006101326.tif 000002
【特許請求の範囲】
【請求項１】
訪問者がカメラを有する玄関子機の呼出スイッチを操作してモニタを有する親機の呼び出しを行なうと、前記カメラで撮像した前記訪問者の映像を前記親機の前記モニタに映示すると共に、前記呼び出しに応答してマイク、スピーカと前記玄関子機のマイク、スピーカで音声通話するデジタルテレビドアホンシステムであって、
前記玄関子機及び前記親機はそれぞれ、音声信号をＡ／Ｄ、Ｄ／Ａ変換する音声信号処理回路と、映像信号をＡ／Ｄ、Ｄ／Ａ変換する映像信号処理回路と、デジタル信号化された前記音声信号、前記映像信号、前記呼出、前記通話を制御する制御信号を処理する通信制御回路と、前記音声信号、前記映像信号、前記制御信号、宛先アドレス、送信元アドレスを含むフレームを形成するＭＡＣと、伝送路を介して前記フレームの送受信に必要な符号に変換する物理層構築部と、前記玄関子機及び前記親機間を前記伝送路で接続するためのネットワーク用コネクタとを備えたことを特徴とするデジタルテレビドアホンシステム。
【請求項２】
前記ＭＡＣ、前記物理層構築部、前記コネクタは、ＬＡＮ用、電力線用、光ファイバ用の各系統のうち少なくとも１つの系統で構成されていることを特徴とする請求項１記載のデジタルテレビドアホンシステム。
【請求項３】
前記親機と前記玄関子機に、前記ＭＡＣ、前記物理層構築部、前記コネクタを複数系統設け、複数設けられた前記親機間や前記親機及び前記玄関子機間を中継することを特徴とする請求項１記載のデジタルテレビドアホンシステム。
【請求項４】
前記ＭＡＣは、前記音声信号、前記映像信号、前記制御信号を多重化してフレームを形成することを特徴とする請求項１乃至請求項３のうち何れか１項に記載のデジタルテレビドアホンシステム。
【請求項５】
前記物理層構築部に前記フレーム内のデータの種別を監視し解釈不可能な種別のデータを破棄するフィルタを備えることを特徴とする請求項１乃至請求項４何れか１項記載のデジタルテレビドアホンシステム。
【請求項６】
前記玄関子機及び前記親機を制御する制御盤を備え、
前記制御盤は、前記玄関子機及び前記親機への接続端子を増設する拡張スロットを有すると共に、前記拡張スロットに接続された前記玄関子機へ電源を供給する電源増設ボード、前記親機にアナログ玄関子機を接続するためのアナログ・インターフェース増設ボード、前記親機に火災、ガス等のセンサ信号を入力させるための無線送受信機インターフェース増設ボード、及び前記親機に電気錠、防犯センサ等の外部機器を接続するインターフェース増設ボードのうち少なくとも１つを有することを特徴とする請求項１乃至請求項５何れか１項に記載のデジタルテレビドアホンシステム。
【発明の詳細な説明】
【技術分野】
【０００１】
本発明は、テレビドアホンシステムの改良に係り、特に、親機や玄関子機のコネクタに対して接続機器の種類を限定することなく変更したり追加したりすることができるデジタルテレビドアホンシステムに関する。
【背景技術】
【０００２】
従来のテレビドアホンシステムは図６に示すように、訪問者を撮像するカメラ、音声を音声信号に変換するマイク、音声信号を音声に変換するスピーカおよび呼出ボタンを有するカメラ付玄関子機６１４、６１５、６１６と、音声信号を音声に変換するスピーカ、カメラ付玄関子機６１４、６１５、６１６のカメラが撮像した映像を表示するモニタおよび訪問者との通話および終話を行うための通話ボタンを有するモニタ付親機６０８とが、伝送路を介して接続されている。また、モニタ付親機６０８には、防犯用のセンサ付カメラ６１１、センサライト付カメラ６１２、防犯センサ６２０、防災用の火災感知器やガス漏れ検知器等の防災センサ６２１が、それぞれ伝送路を介して接続されている。なお、モニタ付親機６０８には増設モニタ付親機６０９、６１０が直列接続されている。
【０００３】
さらに、モニタ付親機６０８は、ゲートウェイ６０６に接続され、家庭内ネットワークが形成されている。具体的には、ゲートウェイ６０６にはルータ６０４、防災用の火災感知器やガス漏れ検知器等の防災センサ６０７が接続され、ルータ６０４にはパーソナル・コンピュータ６０５やＨＵＢ６１９が接続され、ＨＵＢ６１９にはインターネット・カメラ６１７、６１８が接続されている。また、ルータ６０４はモデム６０３を介してインターネット６０２に接続され、このインターネット６０２には住宅内のカメラや検知器等を制御したり、カメラで撮像した画像を蓄積したりするサーバ６０１が接続されている。
【０００４】
このような従来のテレビドアホンシステムの動作を説明する。
【０００５】
訪問者がカメラ付玄関子機６１４の呼出ボタンを操作すると、カメラ付玄関子機６１４のカメラで撮像した映像の映像信号やマイクで集音した音声の音声信号がモニタ付親機６０８に伝送され、モニタ付親機６０８やモニタ付増設親機６０９、６１０のモニタに訪問者の映像が映し出され、スピーカから報音される。居住者はモニタの表示を確認後、モニタ付親機６０８の通話ボタンを操作することにより、訪問者の映像を確認しながらカメラ付玄関子機６１４のマイク、スピーカと通話を行うことができる。
【０００６】
また、センサ付カメラ６１１やセンサライト付カメラ６１２、６１３がセンサによって起動して撮像した映像の映像信号は、伝送路を介してモニタ付親機６０８やモニタ付増設親機６０９、６１０に伝送され、それぞれのモニタに訪問者の映像が映し出され、且つカメラ付玄関子機６１４のマイクで集音された音声がスピーカにて放音される。この場合、同時にモニタ付親機６０８が有するメモリやサーバ６０１に映像を録画することも可能で、留守中においても後から確認することができる。
【０００７】
このようにテレビドアホンシステムは、モニタ付親機６０８の各種インターフェースでネットワークを形成できる接続機器と、ＬＡＮでネットワーク形成できる接続機器とをゲートウェイ６０６によって接続して、家庭内ネットワークを形成している。
【０００８】
この種のシステム構成のものとして、集合住宅用監視制御システム及びそのセンターサーバーが提案されている（例えば、特許文献１参照）。
【０００９】
【特許文献１】特開２００３−３０９６６２号公報
【発明の開示】
【発明が解決しようとする課題】
【００１０】
背景技術において示したテレビドアホンシステムでは、モニタ付親機６０８に各種の接続機器を接続するには、接続する機器専用のインターフェースを内蔵しなければならないので、柔軟に接続機器の種類を変更したり追加したりすることができず、その度に各バリエーションに応じたモニタ付親機６０８を開発する必要があった。
【００１１】
本発明は、このような従来の難点を解決するためになされたもので、親機や玄関子機に接続する機器から送信される音声信号、映像信号、制御信号をすべてデジタル信号で多重化することで接続機器間のインターフェースを統一化して、親機や玄関子機のコネクタに対して接続機器の種類を限定することなく変更したり追加したりすることができるデジタルテレビドアホンシステムを提供することを目的とする。
【課題を解決するための手段】
【００１２】
本発明のデジタルテレビドアホンシステムは、訪問者がカメラを有する玄関子機の呼出スイッチを操作してモニタを有する親機の呼び出しを行なうと、カメラで撮像した訪問者の映像を親機のモニタに映示すると共に、呼び出しに応答してマイク、スピーカと玄関子機のマイク、スピーカで音声通話するものである。
【００１３】
第１の態様であるデジタルテレビドアホンシステムは、玄関子機及び親機はそれぞれ、音声信号をＡ／Ｄ、Ｄ／Ａ変換する音声信号処理回路と、映像信号をＡ／Ｄ、Ｄ／Ａ変換する映像信号処理回路と、デジタル信号化された音声信号、映像信号、呼出、通話を制御する制御信号を処理する通信制御回路と、音声信号、映像信号、制御信号、宛先アドレス、送信元アドレスを含むフレームを形成するＭＡＣと、伝送路を介してフレームの送受信に必要な符号に変換する物理層構築部と、玄関子機及び親機間を伝送路で接続するためのネットワーク用コネクタとを備えたものである。
【００１４】
このようなデジタルテレビドアホンシステムによれば、玄関子機及び親機は、映像信号を映像信号処理回路で、音声信号を音声信号処理回路でそれぞれデジタル信号化することができ、しかもこのデジタル信号化された映像信号、音声信号や制御信号を通信制御回路を介してＭＡＣで、宛先アドレス、送信元アドレスを含むフレームに形成し、物理層構築部でこのシステムのネットワークで規定されている物理層に構築することができるので、ネットワーク用コネクタによってケーブル接続されている接続機器が複数存在する場合であっても玄関子機、親機間のデータ通信は正常に行うことができる。したがって、玄関子機及び親機には、ネットワーク用コネクタに接続可能な接続機器ならばどのような機器でも接続できるようになる。
【００１５】
なお、ＭＡＣ（Ｍｅｄｉａ  Ａｃｃｅｓｓ  Ｃｏｎｔｒｏｌ）とは、メディアアクセス制御部のことで、ネットワークのインターフェースが持つ基本機能で、物理アドレスを用いたパケットの送受信、衝突の検出、再送を行うものである。また、物理層構築部とは、物理メディア・インターフェース(ＰＨＹ：Ｐｈｉｓｉｃａｌ  Ｍｅｄｉａ  Ｉｎｔｅｒｆａｃｅ)のことで、ケーブルの材質やコネクタ形状、データと電気信号の相互変換方式などを規定する物理層を構築するもので、この物理層はＰＣＳ（Ｐｈｙｓｉｃａｌ  Ｃｏｄｉｎｇ  Ｓｕｂｌａｙｅｒ）と呼ぶデータを符合化する部分と、ＰＭＤ（Ｐｈｙｓｉｃａｌ  Ｍｅｄｉｕｍ  Ｄｅｐｅｎｄｅｎｔ）と呼ぶ物理媒体に接続する部分から構成されている。
【００１６】
また、ＭＡＣ、物理層構築部、コネクタは、ＬＡＮ用、電力線用、光ファイバ用の各系統のうち少なくとも１つの系統で構成されている。このように構成することで、ネットワークの構築に幅を持たせることができる。
【００１７】
また、親機と玄関子機に、ＭＡＣ、物理層構築部、コネクタを複数系統設け、複数設けられた親機間や親機及び玄関子機間を中継するものである。これにより、各種の接続機器を親機と玄関子機に接続することができ、また、複数の親機や玄関子機を渡り配線によって接続することができる。
【００１８】
また、ＭＡＣは、音声信号、映像信号、制御信号を多重化してフレームを形成するものである。これにより、ネットワーク上を伝送させるデータとして好適になる。
【００１９】
また、物理層構築部にフレーム内のデータの種別を監視し解釈不可能な種別のデータを破棄するフィルタを備えるものである。これにより、伝送路上で伝送されるフレーム内のデータを監視することができ、システム固有に割り振ったグループアドレス以外のデータを受信した場合は破棄することができるので、親機及び玄関子機に内蔵されたＣＰＵの処理負担を軽減することができる。
【００２０】
また、玄関子機及び親機を制御する制御盤を備え、制御盤は、玄関子機及び親機への接続端子を増設する拡張スロットを有すると共に、拡張スロットに接続された玄関子機へ電源を供給する電源増設ボード、親機にアナログ玄関子機を接続するためのアナログ・インターフェース増設ボード、親機に火災、ガス等のセンサ信号を入力させるための無線送受信機インターフェース増設ボード、及び親機に電気錠、防犯センサ等の外部機器を接続するインターフェース増設ボードのうち少なくとも１つを有するものである。これにより、玄関子機や親機を、制御盤の拡張スロットを介して追加で接続でき、しかも拡張スロットに電源増設ボード、アナログ・インターフェース増設ボード、無線送受信機インターフェース増設ボード及びインターフェース増設ボードのうち少なくとも１つを接続させて制御盤を構成することにより、大きなシステムを容易に構成することができる。
【発明の効果】
【００２１】
本発明のデジタルテレビドアホンシステムによれば、親機や玄関子機に接続機器の種類に関係なく容易にシステムを構成することができ、また、音声信号、映像信号、制御信号のデータをフレームによって伝送路を伝送させることでＨＵＢを使用することができるので、親機や玄関子機に接続する機器の台数やシステム構成を変更した場合に、より柔軟に対応することができるサービスを提供することができる。
【発明を実施するための最良の形態】
【００２２】
以下、本発明のデジタルテレビドアホンシステムにおける好ましい実施の形態例について、図面を参照して説明する。
【００２３】
本発明のデジタルテレビドアホンシステムは図１に示すように、カメラ付玄関子機５０１とモニタ付親機５０２Ａ、５０２Ｂとが接続され、さらに、モニタ付親機５０２Ｂがルータ５０３を介してパーソナル・コンピュータ５０４やサーバ５０５に接続されている。
【００２４】
カメラ付玄関子機５０１は図２に示すように、訪問者を撮像するカメラ１０１と、音声を音声信号に変換するマイク１０２と、音声信号を音声に変換するスピーカ１０３と、居住者を呼び出すための呼出ボタン１０４とを備えている。また、カメラ付玄関子機５０１は、音声信号についてアナログ信号をデジタル信号へ、デジタル信号をアナログ信号に変換（以下、「Ａ／Ｄ、Ｄ／Ａ変換」という。）する音声信号処理回路１０５と、映像信号をＡ／Ｄ、Ｄ／Ａ変換する映像信号処理回路１０６と、デジタル信号化された音声信号、映像信号、呼出・通話を制御する制御信号を処理する通信制御回路１０７と、音声信号、映像信号、制御信号、宛先アドレス、送信元アドレスを含むフレームを形成するＬＡＮ用のメディアアクセス制御部（以下、「ＬＡＮ  ＭＡＣ」という。）１０８と、フレームの送受信に必要な符号に変換するＬＡＮ用の物理メディア・インターフェースとなる物理層構築部（以下、「ＬＡＮ  ＰＨＹ」という。）１０９と、モニタ付親機５０２Ａ、５０２Ｂなどの外部機器を接続するＬＡＮ用のコネクタ１１０と、玄関子機全体の動作を制御するＣＰＵ１２０とを備えている。
【００２５】
カメラ１０１は映像信号処理回路１０６を介してアドレス／データバス１１１に接続され、マイク１０２、スピーカ１０３はそれぞれ音声信号処理回路１０５を介してアドレス／データバス１１１に接続されている。また、呼出ボタン１０４はＣＰＵ１２０に接続され、ＣＰＵ１２０はアドレス／データバス１１１に接続されている。このアドレス／データバス１１１には、通信制御回路１０７、カメラ１０１、映像・音声蓄積用メモリ１１２、プログラム用メモリ１１３と共に、各種情報を格納できるカード型ＩＣメモリ１１４が挿入できる外部機器インターフェース（以下、「外部機器Ｉ／Ｆ」という。）１１５が接続されている。通信制御回路１０７にはＬＡＮ  ＭＡＣ１０８が接続され、ＬＡＮ  ＭＡＣ１０８はメディア独立インターフェース（Ｍｅｄｉａ  Ｉｎｄｅｐｅｎｄｅｎｔ  Ｉｎｔｅｒｆａｃｅ）である標準バスＭＩＩを介してＬＡＮ  ＰＨＹ１０９が接続され、ＬＡＮ  ＰＨＹ１０９にはトランス１１６が接続され、トランス１１６にはＬＡＮ用コネクタ１１０と電源受電回路１１７が接続されている。また、ＬＡＮ  ＰＨＹ１０９には、フレーム内のデータの種別を監視し解釈不可能な種別のデータを破棄するフィルタ１１８が接続されている。これにより、伝送路上で伝送されるフレーム内のデータを監視することができ、システム固有に割り振ったグループアドレス以外のデータを受信した場合は破棄することができるので、ＣＰＵ１２０の処理負担を軽減することができる。このＬＡＮ  ＭＡＣ１０８、ＬＡＮ  ＰＨＹ１０９、トランス１１６、ＬＡＮ用コネクタ１１０及びフィルタ１１８は１つの系統で構成され、このカメラ付玄関子機５０１では２系統設けられている。なお、ＣＰＵ１２０には外部機器接続用インターフェース（以下、「外部機器接続用Ｉ／Ｆ」という。）１１９が接続されている。
【００２６】
モニタ付親機５０２Ａ、５０２Ｂは図３に示すように、音声信号を音声に変換するスピーカ２０１と、音声を音声信号に変換するマイク２０２と、カメラ付玄関子機５０１のカメラ１０１等が撮像した映像を表示するモニタ２０３と、訪問者との通話及び終話を行うための通話ボタン２０４とを備えている。また、モニタ付親機５０２Ａ、５０２Ｂはカメラ付玄関子機５０１と同様に、音声信号をＡ／Ｄ、Ｄ／Ａ変換する音声信号処理回路２０５と、映像信号をＡ／Ｄ、Ｄ／Ａ変換する映像信号処理回路２０６と、デジタル信号化された音声信号、映像信号、呼出・通話を制御する制御信号を処理する通信制御回路２０７と、音声信号、映像信号、制御信号、宛先アドレス、送信元アドレスを含むフレームを形成するＬＡＮ  ＭＡＣ２０８と、フレームの送受信に必要な符号に変換するＬＡＮ  ＰＨＹ２０９と、カメラ付玄関子機５０１などの外部機器を接続するＬＡＮ用のコネクタ２１０と、親機全体の動作を制御するＣＰＵ２１２とを備えている。
【００２７】
モニタ２０３は映像信号処理回路２０６を介してアドレス／データバス２１１に接続され、スピーカ２０１、マイク２０２はそれぞれ音声信号処理回路２０５を介してアドレス／データバス２１１に接続されている。また、通話ボタン２０４はＣＰＵ２１２に接続され、ＣＰＵ２１２はアドレス／データバス２１１に接続されている。このアドレス／データバス２１１には、通信制御回路２０７、モニタ２０３、映像・音声蓄積用メモリ２１３、プログラム用メモリ２１４と共に、各種情報を格納できるカード型ＩＣメモリ２１５が挿入できる外部機器Ｉ／Ｆ２１６が接続されている。通信制御回路２０７にはＬＡＮ  ＭＡＣ２０８が接続され、ＬＡＮ  ＭＡＣ２０８はメディア独立インターフェースである標準バスＭＩＩを介してＬＡＮ  ＰＨＹ２０９が接続され、ＬＡＮ  ＰＨＹ２０９にはトランス２１７が接続され、トランス２１７にはＬＡＮ用コネクタ２１０と電源供給回路２１８が接続されている。また、ＬＡＮ  ＰＨＹ２０９には、フレーム内のデータの種別を監視し解釈不可能な種別のデータを破棄するフィルタ２１９が接続されている。これにより、伝送路上で伝送されるフレーム内のデータを監視することができ、システム固有に割り振ったグループアドレス以外のデータを受信した場合は破棄することができるので、ＣＰＵ２１２の処理負担を軽減することができる。このＬＡＮ  ＭＡＣ２０８、ＬＡＮ  ＰＨＹ２０９、トランス２１７、ＬＡＮ用コネクタ２１０及びフィルタ２１９は１つの系統で構成され、このモニタ付親機５０２Ａ、５０２Ｂでは２系統設けられている。なお、ＣＰＵ２１２には外部機器接続用Ｉ／Ｆ２２０が接続されている。
【００２８】
このようにモニタ付親機５０２Ａ、５０２Ｂが構成されているので、モニタ付親機５０２Ａの一方のＬＡＮコネクタ１１０はルータ５０３にケーブル接続され、モニタ付親機５０２Ａの他方のＬＡＮコネクタ１１０はモニタ付親機５０２Ｂの一方のＬＡＮコネクタ１１０に接続され、モニタ付親機５０２Ｂの他方のＬＡＮコネクタ１１０はＨＵＢ５０６の第１端子に接続されている。また、ルータ５０３はモデム５０７を介してインターネット５０８に接続され、このインターネット５０８には住宅内のカメラや検知器等を制御したり、カメラで撮像した画像を蓄積したりするサーバ５０５が接続されている。また、ＨＵＢ５０６の第５端子はカメラ付玄関子機５０１の何れかのＬＡＮコネクタ２１０に接続され、カメラ付玄関子機５０１の外部機器接続用Ｉ／Ｆ２２０には電気錠５０９や無線送受信機５１０が接続されている。この無線送受信機５１０は住宅外に設置されているセンサ付カメラ５１１にライン接続されている無線送受信機５１２と無線通信することができる。さらに、ＨＵＢ５０６の第３端子にはセンサ付インターネット・カメラ５１３が、第４端子にはセンサライト付インターネット・カメラ５１４がそれぞれ接続されている。
【００２９】
このように構成されたデジタルテレビドアホンシステムの動作について、以下説明する。なお、カメラ付玄関子機５０１のＬＡＮ  ＭＡＣ１０８や、モニタ付親機５０２Ａ、５０２ＢのＬＡＮ  ＭＡＣ２０８で形成するフレームは図４に示すように、イーサネット（Ｅｔｈｅｒｎｅｔ（登録商標））フレームで、イーサネット・ヘッダ、送信データ、フレーム・チェック・シーケンス（ＦＣＳ：Ｆｒａｍｅ  Ｃｈｅｃｋ  Ｓｅｑｅｎｃｅ、誤り検査）から構成されている。イーサネット・ヘッダは、プリアンブル（同期確立）に続いて６バイトの宛先アドレス、６バイトの送信元アドレス、２バイトのフレーム・タイプを表すフィールドから構成されている。送信データ内容は音声信号、映像信号、制御信号となる。
【００３０】
訪問者がカメラ付玄関子機５０１の呼出ボタン１０４を操作すると、カメラ１０１からの映像信号が映像信号処理回路１０６で、マイク１０２からの音声信号が音声信号処理回路１０５でそれぞれデジタル信号化され、ＣＰＵ１２０の制御を受け、アドレス／データバス１１１を介して通信制御回路１０７に伝送される。通信制御回路１０７に伝送されたデジタル信号化された映像信号、音声信号、制御信号はＬＡＮ  ＭＡＣ１０８で多重化してイーサネット・フレームに格納される。これにより、ネットワーク上を伝送させるデータとして好適になる。そして、ＬＡＮ  ＰＨＹ１０９でシステムに対応した物理層を構築し符合化されたデータはトランス１１６を介してＬＡＮコネクタ１１０から伝送路に伝送される。伝送路に伝送されたデータは、ＨＵＢ５０６を介してモニタ付親機５０２Ａやモニタ付親機５０２Ｂに伝送される。
【００３１】
モニタ付親機５０２Ａやモニタ付親機５０２Ｂに伝送されたデータはＬＡＮコネクタ２１０、トランス２１７を介してＬＡＮ  ＰＨＹ２０９で受信される。ＬＡＮ  ＰＨＹ２０９はデータを復号化し、さらに、ＬＡＮ  ＭＡＣ２０８にてイーサネット・フレームからデジタル信号化された音声信号、映像信号、制御信号を分離して通信制御回路２０７に送信される。なお、フィルタ２１９はイーサネット・フレームのＦＣＳに基づきデータの誤り検査を行い、誤りがあればそのデータを破棄する。通信制御回路２０７で受信された音声信号は、ＣＰＵ２１２の制御を受け、アドレス／データバス２１１を介して音声信号処理回路２０５に送信される。音声信号処理回路２０５はデジタル信号をアナログ信号に変換してスピーカ２０１に出力するので、スピーカ２０１はその音声信号を音声として放音させることができる。また、通信制御回路２０７で受信された映像信号は、ＣＰＵ２１２の制御を受け、アドレス／データバス２１１を介して映像信号処理回路２０６に送信される。映像信号処理回路２０６はデジタル信号をアナログ信号に変換してモニタ２０３に出力するので、モニタ２０３はその映像信号を映像として表示させることができる。なお、音声信号や映像信号はＣＰＵ２１２の制御を受け、映像、音声蓄積用メモリ２１３に蓄積することができる。
【００３２】
居住者が訪問者からの呼び出しを受け、モニタ付親機５０２Ａやモニタ付親機５０２Ｂの通話ボタン２０４を操作すると、該モニタ付親機５０２Ａや該モニタ付親機５０２Ｂのスピーカ２０１、マイク２０２と、カメラ付玄関子機５０１のマイク１０２、スピーカ１０３との間で通話路が形成される。したがって、居住者がモニタ付親機５０２Ａやモニタ付親機５０２Ｂのマイク２０２で訪問者に話しかけると、マイク２０２からの音声信号が音声信号処理回路２０５でデジタル信号化され、ＣＰＵ２１２の制御を受け、アドレス／データバス２１１を介して通信制御回路２０７に伝送される。通信制御回路２０７に伝送されたデジタル信号化された音声信号、制御信号はＬＡＮ  ＭＡＣ２０８で多重化してイーサネット・フレームに格納される。これにより、ネットワーク上を伝送させるデータとして好適になる。そして、ＬＡＮ  ＰＨＹ２０９でシステムに対応した物理層を構築し符合化されたデータはトランス２１７を介してＬＡＮコネクタ２１０から伝送路に伝送される。伝送路に伝送されたデータは、ＨＵＢ５０６を介してカメラ付玄関子機５０１に伝送される。
【００３３】
カメラ付玄関子機５０１に伝送されたデータはＬＡＮコネクタ１１０、トランス１１６を介してＬＡＮ  ＰＨＹ１０９で受信される。ＬＡＮ  ＰＨＹ１０９はデータを復号化し、さらに、ＬＡＮ  ＭＡＣ１０８にてイーサネット・フレームから音声信号を分離して通信制御回路１０７に送信される。なお、フィルタ１１８はイーサネット・フレームのＦＣＳに基づきデータの誤り検査を行い、誤りがあればそのデータを破棄する。通信制御回路１０７で受信された音声信号は、ＣＰＵ１２０の制御を受け、アドレス／データバス１１１を介して音声信号処理回路１０５に送信される。音声信号処理回路１０５はデジタル信号をアナログ信号に変換してスピーカ１０３に出力するので、スピーカ１０３はその音声信号を音声として放音させることができる。
【００３４】
なお、カメラ付玄関子機５０１及びモニタ付親機５０２Ａ、５０２Ｂには、カード型ＩＣメモリ１１４、２１５を挿入することで、メモリ増設による画像・音声・制御信号の保存をすることが可能になる。また、ネットワーク化されているので、他の接続端末からも参照することができる。
【００３５】
また、モニタ付親機５０２Ａやモニタ付親機５０２Ｂには電源供給回路２１８を備えているので、トランス２１７で電源を伝送路上に多重させることができる。したがって、カメラ付玄関子機５０１ではその電源をトランス１１６で分離して電源受電回路１１７で受電することができるので、該カメラ付玄関子機５０１の電源として機能させることができる。
【００３６】
また、カメラ付玄関子機５０１に接続されている電気錠５０９、無線送受信機５１０と無線通信することができる無線送受信機５１２にライン接続されているセンサ付カメラ５１１、ＨＵＢ５０６の第３端子に接続されているセンサ付インターネット・カメラ５１３、あるいはＨＵＢ５０６の第４端子に接続されているセンサライト付インターネット・カメラ５１４を、モニタ付親機５０２Ａやモニタ付親機５０２Ｂで制御するには、その制御信号をＣＰＵ２１２からアドレス／データバス２１１を介して通信制御回路２０７に伝送する。通信制御回路２０７に伝送された制御信号はＬＡＮ  ＭＡＣ２０８で多重化してイーサネット・フレームに格納される。そして、ＬＡＮ  ＰＨＹ２０９でシステムに対応した物理層を構築し符合化されたデータはトランス２１７を介してＬＡＮコネクタ２１０から伝送路に伝送される。伝送路に伝送されたデータは、ＨＵＢ５０６やカメラ付玄関子機５０１に伝送される。
【００３７】
ＨＵＢ５０６に伝送されたデータはセンサ付インターネット・カメラ５１３あるいはセンサライト付インターネット・カメラ５１４を制御することができる。また、ＨＵＢ５０６を介してカメラ付玄関子機５０１に伝送されたデータは、ＬＡＮコネクタ１１０、トランス１１６を介してＬＡＮ  ＰＨＹ１０９で受信される。ＬＡＮ  ＰＨＹ１０９はデータを復号化し、さらに、ＬＡＮ  ＭＡＣ１０８にてイーサネット・フレームから制御信号を分離して通信制御回路１０７に送信される。通信制御回路１０７で受信された制御信号は、ＣＰＵ１２０の制御を受け、アドレス／データバス１１１を介してＣＰＵ１２０を介して外部機器接続用Ｉ／Ｆ２２０に送信される。したがって、外部機器接続用Ｉ／Ｆ２２０に接続されている電気錠５０９、あるいは無線送受信機５１０と無線通信することができる無線送受信機５１２にライン接続されているセンサ付カメラ５１１を制御することができる。
【００３８】
このように、カメラ付玄関子機５０１及びモニタ付親機５０２Ａ、５０２Ｂには、ＬＡＮ用コネクタ１１０、２１０に接続可能な接続機器ならばどのような機器でも接続できるようになる。
【００３９】
なお、本発明のデジタルテレビドアホンシステムにおいてはカメラ付玄関子機５０１及びモニタ付親機５０２Ａ、５０２Ｂの構成は図２、図３に示すように、ＭＡＣ、ＰＨＹ、トランス、ネットワーク用コネクタがＬＡＮ用のものだけが採用されていたが、これに限らず、図５に示すように、商用電源の電力線用や光ファイバ用の系統を追加したり変更したりしてもよい。
【００４０】
具体的には、電力線用の場合、通信制御回路１０７（２０７）には音声信号、映像信号、制御信号、宛先アドレス、送信元アドレスを含むフレームを形成する電力線搬送通信用のメディアアクセス制御部（以下、「ＰＬＣ（Ｐｏｗｅｒ  Ｌｉｎｅ  Ｃｏｍｍｕｎｉｃａｔｉｏｎ）  ＭＡＣ」という。）３０１が接続され、ＰＬＣ  ＭＡＣ３０１は伝送路を介してフレームの送受信に必要な符号に変換する電力線搬送通信用の物理メディア・インターフェースとなる物理層構築部（以下、「ＰＬＣ  ＰＨＹ」という。）３０２がメディア独立インターフェースである標準バスＭＩＩを介して接続され、ＰＬＣ  ＰＨＹ３０２にはＰＬＣ用モデム３０３が接続され、ＰＬＣ用モデム３０３にはＰＬＣ用コネクタ３０４が接続されている。
【００４１】
また、光ファイバ用の場合、通信制御回路１０７（２０７）には音声信号、映像信号、制御信号、宛先アドレス、送信元アドレスを含むフレームを形成する光ファイバ用のメディアアクセス制御部（以下、「ＦＩＢＥＲ  ＭＡＣ」という。）４０１が接続され、ＦＩＢＥＲ  ＭＡＣ４０１は伝送路を介してフレームの送受信に必要な符号に変換する光ファイバ用の物理メディア・インターフェースとなる物理層構築部（以下、「ＦＩＢＥＲ  ＰＨＹ」という。）４０２がメディア独立インターフェースである標準バスＭＩＩを介して接続され、ＦＩＢＥＲ  ＰＨＹ４０２には光ファイバ用モデム４０３が接続され、ＦＩＢＥＲ用モデム４０３には光ファイバ用コネクタ４０４が接続されている。
【００４２】
このように、電力線用や光ファイバ用の系統を追加したり変更したりすることで、ネットワークの構築に幅を持たせることができる。
【００４３】
また、本発明のデジタルテレビドアホンシステムにおいては図１に示すように、カメラ付玄関子機５０１及びモニタ付親機５０２Ａ、５０２Ｂを制御する制御盤５２０を備えてもよい。この制御盤５２０は、カメラ付玄関子機５０１及びモニタ付親機５０２Ａ、５０２Ｂへの接続端子を増設する拡張スロット５２１を有すると共に、拡張スロット５２１に接続された電源増設ボード５２２、アナログ・インターフェース増設ボード５２３、無線送受信機インターフェース増設ボード５２４及びインターフェース増設ボード５２５を有している。アナログ・インターフェース増設ボード５２３、無線送受信機インターフェース増設ボード５２４及びインターフェース増設ボード５２５は、各信号をＡ／Ｄ、Ｄ／Ａ変換する処理回路やＭＡＣ、ＰＨＹを備えているので、ネットワーク上でデータを障害なく伝送させることができる。また、拡張スロット５２１はＨＵＢと同様の機能を有し接続端子が７つ設けられている。
【００４４】
拡張スロット５２１の第１端子は電源増設ボード５２２に接続され、第２端子は制御盤５２０の外部に設置される分岐器５１５に接続され、第３端子はカメラ付玄関子機５０１と同一構成のカメラ付玄関子機５１６の一方のＬＡＮ用コネクタ１１０に接続され、第４端子は増設インターフェース・ボード５２５に接続され、第５端子は無線送受信機インターフェース増設ボード５２４に接続され、第６端子はアナログ・インターフェース増設ボード５２３に接続され、第７端子がＨＵＢ５０６の第２端子に接続されている。
【００４５】
分岐器５１５には防犯センサ５３０や防災用の火災感知器やガス漏れ検知器等の防災センサ５３１が接続されている。カメラ付玄関子機５１６の他方のＬＡＮ用コネクタ１１０にはセンサライト付インターネット・カメラ５３２が接続され、さらにセンサライト付インターネット・カメラ５３２にはセンサライト付インターネット・カメラ５３３が接続され、センサライト付インターネット・カメラ５３３には防災用の火災感知器やガス漏れ検知器等の防災センサ５３４が接続されている。インターフェース増設ボード５２５には電気錠５３５、防犯センサ５３６、防災用の火災やガス漏れの検知器５３７が接続されている。無線送受信機インターフェース増設ボード５２４は、住宅外に設置されている防災用の火災やガス漏れの検知器５３８にライン接続されている無線送受信機５３９と無線通信することができる。アナログ・インターフェース増設ボード５２３にはアナログ式のセンサライト付カメラ５４０やカメラ付玄関子機５４１が接続されている。なお、拡張スロット５２１の第１端子に電源増設ボード５２２が接続されているので、制御盤５２０から各カメラ付玄関子機５０１、５１６、５４１に電源を供給することができる。
【００４６】
このような制御盤５２０を備えることで、玄関子機や親機を、制御盤の拡張スロットを介して追加で接続でき、しかも拡張スロットに電源増設ボード、アナログ・インターフェース増設ボード、無線送受信機インターフェース増設ボード及びインターフェース増設ボードのうち少なくとも１つを接続させて制御盤を構成することにより、大きなシステムを容易に構成することができるようになる。
【００４７】
なお、制御盤５２０にモニタ付親機５０２Ａ、５０２Ｂと同一機能を有する機器をＨＵＢ５０６の第２端子と拡張スロット５２１の第７端子との間に接続してもよい。この機器はモニタが備えられていなくともよく、制御盤５２０においてもモニタ付親機と同様の通話等を行うことができるようになる。
【図面の簡単な説明】
【００４８】
【図１】本発明のデジタルテレビドアホンシステムにおける好ましい実施の形態例を示す全体構成図である。
【図２】本発明のデジタルテレビドアホンシステムの主要構成要素であるカメラ付玄関子機を示すブロック図である。
【図３】本発明のデジタルテレビドアホンシステムの主要構成要素であるモニタ付親機を示すブロック図である。
【図４】本発明のデジタルテレビドアホンシステムにおけるデータの送受信に採用される通信フレームを示す構造図である。
【図５】本発明のデジタルテレビドアホンシステムの主要構成要素であるカメラ付玄関子機及びモニタ付親機の他の実施の形態例を示すブロック図である。
【図６】従来のデジタルテレビドアホンシステムを示す全体構成図である。
【符号の説明】
【００４９】
５０１、５１６……カメラ付玄関子機
１０１……カメラ
１０２……マイク
１０３……スピーカ
１０４……呼出ボタン（呼出スイッチ）
１０５……音声信号処理回路
１０６……映像信号処理回路
１０７……通信制御回路
１０８……ＬＡＮ  ＭＡＣ
１０９……ＬＡＮ  ＰＨＹ（物理層構築部）
１１０……ＬＡＮ用コネクタ
５０２Ａ、５０２Ｂ……モニタ付親機
２０１……スピーカ
２０２……マイク
２０３……モニタ
２０５……音声信号処理回路
２０６……映像信号処理回路
２０７……通信制御回路
２０８……ＬＡＮ  ＭＡＣ
２０９……ＬＡＮ  ＰＨＹ（物理層構築部）
２１０……ＬＡＮ用コネクタ
３０１……ＰＬＣ  ＭＡＣ（電力線用）
３０２……ＰＬＣ  ＰＨＹ（電力線用物理層構築部）
３０４……ＰＬＣ用コネクタ（電力線用）
４０１……ＦＩＢＥＲ  ＭＡＣ（光ファイバ用）
４０２……ＦＩＢＥＲ  ＰＨＹ（光ファイバ用物理層構築部）
４０４……ＦＩＢＥＲ用コネクタ（光ファイバ用）
５２０……制御盤
５２１……拡張スロット
５２２……電源増設ボード
５２３……アナログ・インターフェース増設ボード
５２４……無線送受信機インターフェース増設ボード
５２５……インターフェース増設ボード
５３５……電気錠
５３６……防犯センサ
５４１……アナログ玄関子機
【図１】
2006101326.tif 000003
【図２】
2006101326.tif 000004
【図３】
2006101326.tif 000005
【図４】
2006101326.tif 000006
【図５】
2006101326.tif 000007
【図６】
2006101326.tif 000008